(57)【要約】【課題】  不用新聞紙、本、雑誌や、立方体形状を呈する段ボール箱詰め製品、箱詰め製品等梱包物、大型鞄等を前後左右四方から平均した締付力で強く結え付けるように工夫した結え補助具及び結え具を提供する。【解決手段】  非伸縮性素材により構成され、無端環状を呈し且つ結え使用の状態にされた時には前後左右方向の締付力により四辺形を呈しうるようにされると共に当該四辺形の四隅各角形成個所に結え紐状体の連結用孔、掛杆状部等連結部が設けられ、提げ手が設けられていることを特徴とするものである。【選択図】        図１７
2008024323.tif 000002
【特許請求の範囲】
【請求項１】
非伸縮性素材により構成され、無端環状を呈し且つ結え使用の状態にされた時には前後左右方向の締付力により四辺形を呈しうるようにされると共に当該四辺形の角形成個所に結え紐状体の連結部が設けられていることを特徴とする結え補助具。
【請求項２】
請求項１に係る結え補助具を要体として備え、この結え補助具と、当該結え補助具における各連結部に基端が分離不能に止着された前後左右の結え紐状部とにより構成されていることを特徴とする結え具。
【請求項３】
請求項１に係る結え補助具を要体とし、この結え補助具と、当該結え補助具における各連結部に基端が着脱可能に止着された前後左右の結え紐状部とにより構成されていることを特徴とする結え具。
【請求項４】
前記連結部が、結え紐状部を引掛け止める引掛部であることを特徴とする請求項１又は３に記載の結え具。
【請求項５】
前記連結部が、結え紐状部を止める孔若しくは輪の紐通し部であることを特徴とする請求項１又は３記載の結え具。
【請求項６】
前記連結部が、結え紐状部の端部を二つ折りにして掛け止める掛杆状部と当該二つ折り部を二つ折り状態に保持する保持体を設けることで形成されていることを特徴とする請求項１又は３記載の結え具。
【請求項７】
前後の結え紐状部の先端部同士が締め上げ状態で連結しうるようにされ且つ左右の結え紐状部の先端部同士が締め上げ状態で連結しうるようにされていることを特徴とする請求項２〜６のいずれか一項記載の結え具。
【請求項８】
請求項１に係る結え補助具の一対が下側用の要体およびと上側用の要体として備え、これら下側の結え補助具、上側の結え補助具には前後左右の結え紐状部の基端部及び先端部の連結部が設けられ、基端部の連結部、先端部の連結部の一方若しくは両方が当該結え紐状部の締め上げ状態で固定する構造にされていることを特徴とする請求項２〜７のいずれか一項記載の結え具。
【発明の詳細な説明】
【技術分野】
【０００１】
本発明は、不要の新聞紙、本、雑誌や、段ボール箱詰め製品、木箱詰め製品、製品入り包装用箱等梱包物、大型鞄、ブックバンド等（以下、被結え物という）を前後左右四方から平均した締付力で強く結え付ける時に用いる結え補助具及び結え具に関する。
【背景技術】
【０００２】
従前、菱形の形状に紐を張って弛みを吸収しつつきつく結える方法は「特許文献１〜３」に開示されているようなものが知られている。しかしながら、「特許文献１」に開示のひも状結え具には、紐を菱形の形状に張り結ぶ作業が手馴れた者でも必ずしも容易なことではなく、手間が掛かる、美麗な仕上がり状態が得にくい等の問題があり、また「特許文献２」に開示のひし形縛り用締め具には、安価さに優れているが、紐部分を半分に割いて２本にすることが可能な紐に限定される問題及び前記「特許文献１」のひも状結え具と同じような問題があった。いずれにしても菱形の形状に紐を張る作業に困難さがあった。
【０００３】
また、「特許文献３」に開示されている紙製結え用具は、菱形の形状に紐を張る作業が不要であるメリットがあるが、これには、厚手紙製で固いために、前記「特許文献１」「特許文献２」が備えている紐により形成された菱形の形状部分の前後方向の対角線が長くされたときに左右方向の対角線が連動して短く変化するような対角線の長短変化動作ができなく、たとえば左右方向を結えたのちに前後方向を結えて前記左右方向の結え力をより以上に強くするというようなことができない致命的な問題があった。つまり、左右方向の結え止めを前後方向の結え止め作業で、または前後方向の結え止めを左右方向の結え止め作業で所謂２段締め状態にするというようなことができなく、より強いしっかりした締め付け状態にすることができないものであった。
【０００４】
就中、「特許文献１」に開示されているひも状結え具を使用して古新聞等を結え束ねる際には、前記２段締めが可能であるから充分に締め付けることができるようになっているが、不慣れな者が行うときには、傾向として、最後の結び操作のときの手の持ち替え等により全体が戻り弛んで上手に結べないという問題があった。
【特許文献１】特開平１１−３１４６５９号公報
【特許文献２】特開平９−３０９５１０号公報
【特許文献３】特開２００３−２００９１２号公報
【発明の開示】
【発明が解決しようとする課題】
【０００５】
本発明は、前記のような諸問題点を解消する工夫およびその他の工夫を施した新規の結え補助具及び結え具を提供することを目的とする。
【課題を解決するための手段】
【０００６】
上記目的を達成するために、請求項１に係る結え補助具は、非伸縮性素材により構成され、結え状態にされた時には前後左右方向の締付力により四辺形を呈しうるようにされると共に当該四辺形の角形成個所に結え紐状部の連結部が設けられていることを特徴とする。
【０００７】
したがって、請求項１に係る結え補助具は、例えば図２に示すように、その左右各端部及び前後各長辺の中間部にユーザーが手持の紐材や別途用意した紐部材を前後左右の結え紐状部として連結してから、全体をたとえば床の上若しくは卓上等に前後左右の結え紐状部を伸展状態にして置くと共にその上に被結え物を、当該被結え物が結え止め後に四辺形部分の上になるように載せ置き、然るのち、先ず左右の結え紐状部の先端部分を被結え物の上面に掛け廻してできるだけ強く結え止め、次いで前後の結え紐状部の先端部分を被結え物の上面に掛け廻して結え止める要領で使用できる。
【０００８】
要するに、前記のような要領で使用する場合にあって、左右方向の結え力よりも強い前後方向の結え力で結えることをすれば、当該前後方向の結え力により、四辺形（菱形）の形状部分の前後方向の対角線が長くされると同時にこれに連動して左右方向の対角線が短く変化するように動作することになるから、結果として被結え物は、左右方向の結え力及び前後方向の結え力により、すなわち前後左右の四方から平均した締付力により強く結えられることになる。
【０００９】
また、請求項２に係る結え具は、請求項１記載の結え補助具を要体として備え、当該結え補助具における各連結部には前後左右の結え紐状部がその基端を同連結部に分離不能に止着された状態で設けられていることを特徴とする。
【００１０】
したがって、請求項２に係る結え具によれば、前記要領を行う場合には、手持の紐材を不要にでき、結え紐状部を結え補助具に連結する作業を省略できる。
【００１１】
また、請求項３に係る結え具は、請求項１記載の結え補助具を要体として備え、当該結え補助具における各連結部には前後左右の結え紐状部がその基端を同連結部に着脱可能に止着された状態で設けられていることを特徴とする。
【００１２】
したがって、請求項３に係る結え具によれば、手持の紐材を不要にできる。しかも結え補助具と前後左右の結え紐状部とを別生産、別管理ができ、嵩張らない状態の包装で提供できる。また、長い紐材と短い紐材もしくは異なる素材からなる多種類の紐材を用意しておき、任意に付け替えて使用するような構成にすることができるのみならず、サイズが異なる被結え物が混在しているような場合には長い紐材と短い紐材を適宜交換して対応できる便利さがある。
【００１３】
さらに、請求項４に係る結え具は、前記着脱可能の構成が、結え紐状部を挿し通して結び止める孔であることを特徴とする。
【００１４】
したがって、請求項４に係る結え具によれば、結え補助具に対する結え紐状部の連結が不慣れな者でも単純な作業で容易にできる。
【００１５】
また、請求項５に係る結え具は、前記着脱可能の構成が、結え紐状部の端部を二つ折りにして掛け止める掛杆状部と当該二つ折り部を二つ折り状態に保持する保持体を結え補助具に設けることで形成されていることを特徴とする。
【００１６】
したがって、請求項５に係る結え具によれば、結え補助具に対する結え紐状部の連結が結え紐状部の端部を二つ折りにして掛け止める作業及び保持体で保持する作業により容易にできる。
【００１７】
さらに、請求項６に係る結え具は、前後の結え紐状部の先端部同士が締め上げ状態で連結しうるようにされ且つ左右の結え紐状部の先端部同士が締め上げ状態で連結しうるようにされていることを特徴とする。
【００１８】
したがって、請求項６に係る結え具によれば、前後の結え紐状部の先端部同士の連結及び左右の結え紐状部の先端部同士の連結が締め上げ操作により容易にでき、上記手の持ち替え等による弛みを解消できる。
【００１９】
また、請求項７に係る結え具は、前後の結え紐状部の先端部同士が結び止めにより連結しうるようにされ且つ左右の結え紐状部の先端部同士が結び止めにより連結しうるようにされていることを特徴とする。
【００２０】
したがって、請求項７に係る結え具によれば、前後の結え紐状部の先端部同士の連結及び左右の結え紐状部の先端部同士の連結が工具等を使用しない結び止め操作により容易にできる。
【００２１】
また、請求項８に係る結え具は、請求項１に係る結え補助具の一対が下側用の要体及び上側用の要体として構成され、これら下側の結え補助具、上側の結え補助具には前後左右の結え紐状部の基端部及び先端部の連結部が設けられ、基端部の連結部、先端部の連結部の一方若しくは両方が当該各結え紐状部の締め上げ状態で固定する構造にされていることを特徴とする。
【００２２】
したがって、請求項８に係る結え具によれば、図７〜図１１に示すように、被結え物の上下両面に前記下側結え補助具、上側結え補助具が形成する上下一対の菱形の形状部分を形成した結え状態で当該被結え物を束ねることが可能になるから、より平均した締付力でより強い結え状態を得ることがより確実にできる。特に前記した対角線を長くする作業の一回を行うことで上下両面において対角線が短くなる変化動作を得ることが上下両方から可能になるから頗る効率よく締付作業ができる。
【発明の効果】
【００２３】
本発明に係る結え補助具及び結え具によれば、被結え物を左右方向の結え力及び前後方向を結え力により、すなわち前後左右の四方から平均した締付力により強く結えることができ且つ当該被結え物を結える作業を能率よく簡単容易にできる。しかも、前後方向・左右方向の締付が所謂二段締め方式で容易且つ強く行うことができるメリットがある。
【発明を実施するための最良の形態】
【００２４】
図１及び図２は、本発明の第１実施の形態に係る結え補助具１を示す。この第１実施の形態に係る結え補助具１は、単体で袋詰若しくは箱詰にした状態にしたり、後述する結え紐状体とセットで袋詰若しくは箱詰にしたりした形態により提供される。なお、図１は全体を示す平面図であり、図２は使用例を示す斜視図である。
【００２５】
この第１実施の形態に係る結え補助具１は、非伸縮性素材により構成され、無端環状を呈し且つ結え状態にされた時には前後左右方向の締付力により四辺形（菱形）を呈しうるようにされると共に当該四辺形の四隅の角形成個所に結え紐状体２a、２b、２c、２dの連結部３a、３b、３c、３dが設けられている。なお、この第１実施の形態に係る結え補助具１は、前記非伸縮性素材として合成樹脂素材による成形により構成されているが、麻紐等天然素材、化学繊維素材、紙素材、金属素材、合成皮革素材、天然皮材、その他を用いて構成することができる。また、無端環状部は、外力を受けない時には細長い無端環状を呈して包装等のときには嵩張らないようにしてある。また、無端環状は、上記素材の両端を結ぶ、接合する、連結部品等で連結する等で形成する。さらに、無端環状の径の大小を任意に調節しうる構成にすることができる。
【００２６】
前記の第１実施の形態に係る結え補助具１は、例えば図２に示すように、その左右各端部及び前後各長辺の中間部にユーザーが手持の麻紐、荷作り用合成樹脂平紐、荷作り用合成樹脂丸紐等紐材を前後左右の結え紐状体２a、２b、２c、２dとして連結部３a、３b、３c、３dに連結してから、全体をたとえば床の上若しくは卓上（図示せず）に前後左右の結え紐状体２a、２b、２c、２dを伸展状態にして置くと共にその上に被結え物４を載せ置き、然るのち、先ず左右の結え紐状体２c、２dの先端部分を被結え物４の上面に掛け廻して強く結え止め、次いで前後の結え紐状体２a、２bの先端部分を被結え物４の上面に掛け廻してさらに強く結え止める要領で使用される。
【００２７】
したがって、前記のような要領で使用した場合にあって、左右方向の結え力よりも強い前後方向の結え力で結えることをすれば、当該前後方向の結え力により、第１実施の形態に係る結え補助具１が形成する菱形の形状部分５の前後方向の対角線が長くされると同時にこれに連動して左右方向の対角線が短く変化するように動作することになるから、結果として被結え物４は、左右方向の結え力及び前後方向を結え力により、すなわち前後左右四方から平均した二段締めの締付力により強く結えることができる。
【００２８】
前記連結部３a、３b、３c、３dは、四隅各角形成個所に凸状部６を一体に設け且つ当該凸状部６に孔７を設けることにより構成され、この連結部３a、３b、３c、３dには結え紐状体２a、２b、２c、２dの端部を前記孔７に通して結着する等により当該結え紐状体２a、２b、２c、２dを連結するようにされている。
【００２９】
図３〜図５は、本発明の第２実施の形態に係る結え具９を示す。なお、図３は全体を示す平面図であり、図４及び図５は使用手順を示す斜視図である。
【００３０】
この第２実施の形態に係る結え具９は、前記第１実施の形態に係る結え補助具１を一体に要体として含むものであって、当該結え補助具１における連結部３a、３b、３c、３dの外側に当該結え補助具１と一体の成形により折曲自在な前後左右の結え紐状部１０a、１０b、１０c、１０dが設けられると共に前側及び右側の結え紐状部１０a、１０dの先端に後側及び右側結え紐状部１０b、１０dの先端部を二つ折りにして掛け止める掛杆状部１１a、１１cと当該二つ折り部１２a、１２cを二つ折り状態に保持する保持体１３a、１３cを設けているものである。
【００３１】
前記保持体１３a、１３cは、図にはその詳細を示していないが、その内面が外方に向かって広くなるテーパーにされていて、当該保持体１３a、１３cが前側及び左側の結え紐状部１０a、１０cの先端に近付く方向に引出されたときには、くさび効果により保持機能を果たし引戻されたときに速やかに移動して保持機能を解消するようにしてある。
【００３２】
この第２実施の形態に係る結え具９は、図４に示すように、全体をたとえば床の上若しくは卓上（図示せず）に前後左右の結え紐状部１０a、１０b、１０c、１０dを伸展状態にして置くと共にその上に被結え物（古新聞）１４を重ねて載せ置き、然るのち、図５に示すように、先ず左右の結え紐状体１０c、１０dの先端部分を被結え物１４の上面に掛け廻して右側結え紐状部１０dの先端部を左側結え紐状部１０cの掛杆状部１１cに掛け止めて二つ折りにしてから、保持体１３cを引出して二つ折り状態に保持することにより左右方向の結え止めを行い、次いで前後の結え紐状体１０a、１０bの先端部分を被結え物１４の上面に掛け廻して後側結え紐状部１０bの先端部を前側結え紐状部１０aの掛杆状部１１aに掛け止めて二つ折りにしてから、保持体１３aを引出して二つ折り状態に保持することにより前後方向の結え止めを行う要領で使用される。
【００３３】
図６〜図１１は、本発明の第３実施の形態に係る結え具１６を示す。
【００３４】
この第３実施の形態に係る結え具１６は、前記第２実施の形態に係る結え具９の一対を下側結え具１７aと上側結え具１７bとして構成され、図６に示すように下側結え具１７aの上に被結え物１８を載せ置いたのち図７に示すように当該被結え物１８の上に上側結え具１７bを配すると共に下側結え具１７aと上側結え具１７bにおける掛杆状部１１a、１１b、１１c、１１dに結え紐状部１０a、１０b、１０c、１０dの先端部を掛け止めて二つ折りにしてから保持体１３a、１３b、１３c、１３dを引出して二つ折り状態に保持することにより左右方向の結え止め（図８、図９に示す順に行う）及び前後方向の結え止め（図１０、図１１の順に行う参照）を行う要領で使用される。
【００３５】
図１２及び図１３は、本発明の第４実施の形態に係る結え具を示す。
【００３６】
この第４実施の形態に係る結え具は、図１２及び図１３により明らかなように、持ち運びを容易にするために上側結え具１７bに提げ手２０を一体に設けたものであり、その他は、前記第３実施の形態に係る結え具１６と同様であるから、同一の符号を付して説明は省略する。
【００３７】
図１４及び図１５は、本発明の第５実施の形態に係る結え具２１を示す。
【００３８】
この第５実施の形態に係る結え具２１は、前記第４実施の形態に係る結え具と同様に提げ手２０を有するものであり、前後左右の結え紐状部１０a、１０b、１０c、１０dを設けずにその代わりに手持の荷造り紐２２を使うようにしたものである。当該荷造り紐２２の両端は、前記した説明と同様の保持体１３a、１３b、１３c、１３dを利用して連結する構成にしてあるものである。
【００３９】
図１６及び図１７は、本発明の第６実施の形態に係る結え具２３を示す。
【００４０】
この第６実施の形態に係る結え具２３は、前記第４実施の形態に係る結え具と同様に提げ手２０を有するものであり、前記前後左右の結え紐状部１０a、１０b、１０c、１０dを設けずにその代わりに手持の荷造り紐を切ることで用意した前後左右用の荷造り紐２４a、２４b、２４c、２４dを使うようにしたものである。前後左右に設けた孔２５a、２５b、２５c、２５dを利用して例えば図１７に示すように結える等の要領で使用する。
【００４１】
すなわち、第６実施の形態に係る結え具２３は、各荷造り紐２４a、２４b、２４c、２４dの一端を前記各孔２５a、２５b、２５c、２５dに結んで連結したのち全体を床の上若しくは卓上（図示せず）に伸展状態にして置いてその上に被結え物２６を載せ置き、然るのち、左右用の荷造り紐２４c、２４dの先端部を被結え物２６の上で引き絞ってから結び、次いで、前後用の荷造り紐２４a、２４bの先端部を被結え物２６の上で引き絞って結んでから、全体を上下反転して提げ手２０を上にして持ち運ぶようにしたものである。なお、この場合、前記提げ手２０は、前後用の荷造り紐２４a、２４bの引き絞りにより自動的に所謂立上がった状態になるから、手が掛け易く握り持ち易い。
【００４２】
図１８及び図１９は、本発明の第７実施の形態に係る結え具２７を示す。
【００４３】
この第７実施の形態に係る結え具２７は、前記結え補助具１の変種であって、非伸縮性素材により構成され、無端環状を呈し且つ結え状態にされた時には前後左右方向の締付力により四辺形（菱形）を呈しうるようにされると共に当該四辺形の四隅各角形成個所に掛外しタイプの連結部２８a、２８b、２８c、２８dが設けられている。
【００４４】
前記連結部２８a、２８b、２８c、２８dは、四辺形（菱形）形成部２９の四隅各角形成個所に移動可能に短管３０を被せ、この短管３０に補長紐３１を介して開閉部３２を有するカラビナ状の掛外具３３a、３３b、３３c、３３dを設けた構成にしてある。補長紐３１は、四辺形（菱形）形成部２９の各角形成個所に固定状態にして設けてもよい。
【００４５】
すなわち、第７実施の形態に係る結え具２７は、先ずユーザーが手持の荷造り用紐等を切って前後方向結え用紐状体３４a及び左右方向結え用紐状体３４bを予め用意すると共に当該第７実施の形態に係る結え具２７を床の上若しくは卓上（図示せず）に伸展状態にして置いてその上に被結え物（古新聞）３５を載せ置く。この場合、図１８に示すようにカラビナ状の掛外具３３a、３３b、３３c、３３dは、被結え物（古新聞）３５の底面より外に出た長さで四辺形（菱形）形成部２９の位置を予知し決定しうるから位置決めし易い。然るのち、先ず被結え物（古新聞）３５の上に前後方向結え用紐状体３４aの中央個所を載せた状態にして同前後方向結え用紐状体３４aの両端寄り個所を前記前後の掛外具３３a、３３bに引掛けると共に前後方向結え用紐状体３４aの両端部を強く引き絞ってから当該両端部を被結え物３５の上で結び止めることにより当該被結え物３５の前後方向を強く結える。この場合、四辺形部分は形成されない。次いで、同様に被結え物（古新聞）３５の上に左右方向結え用紐状体３４bの中央個所を載せた状態にして同前後方向結え用紐状体３４bの両端寄り個所を前記左右の掛外具３３c、３３dに引掛けると共に同左右方向結え用紐状体３４bの両端部を強く引き絞ってから当該両端部を被結え物３５の上で結び止めることにより当該被結え物３５の左右方向を結える要領で使用できる。
【００４６】
このようにすると、図１９に示すように、被結え物３５の下面には緊張状態の四辺形の形成部２９ができ且つ被結え物３５の上面では前後方向結え用紐状体３４aも左右方向結え用紐状体３４bも行戻りの所謂二重回し掛けの結び状態にすることができるから、結果として、四辺形の形成部２９ができることにより強く結えられ且つ行戻りの二重回し掛け状態部ができることにより一重回し掛けの場合よりも手の持ち替え等のよる弛みが生じ難い状態で結えることができ、しかも行戻りの二重回し掛けの結び状態は弛みが生じにくいから締め直して結ぶ等のことが容易にできることになる。また、四辺形の形成部２９が形成される過程では、左右方向結え用紐状体３４bの結え操作により前後方向結え用紐状体３４aの結え部が縮径されることになるから、当該前後方向結え用紐状体３４aの結え力が二段締めの締付力で強化される。
【００４７】
図２０（a）（b）は、本発明の第８、第９実施の形態に係る提げ手無し結え具３９、提げ手付き結え具４０を示す。
【００４８】
これら第８、第９実施の形態に係る結え具３９、４０は、連結部４１a、４１b、４１c、４１dに工夫を施したものであって、同部にコの字状の孔４２を設けた結え紐４３の引掛け部４４を設け且つ当該引掛け部４４の先端の両側に張出し部４５a、４５bを設けて結え紐４３を外れ難くしたものである。
【００４９】
図２１及び図２２は、紐状体４７の連結孔４８を有する下側結え具４９と連結孔無しの上側結え具５０からなる本発明の第１０実施の形態に係る結え具５１を示す。なお、詳細な構成については、図から及び前記の実施の形態に係る結え具から容易に理解できるからここでは省略する。
【００５０】
すなわち、この第１０実施の形態に係る結え具５１は、多連構造のものであって、図２２に示すような長めの被結え物５２を結えるのに都合がよい構成にしたものである。
【００５１】
図２３及び図２４は、第１１実施の形態を示すものであって、結え補助具すなわち連結部５４を備えた菱形の形状部分５５と、連結部５４に基端が連結され先端にバックル部５６をもつ前後左右の結え紐状体５７a、５７b、５７c、５７dから構成された結え具５８を主要部として備えたスーツケース等鞄５９の締め具６０を示す。
【００５２】
図２５は、第１２実施の形態を示すものであって、結え補助具すなわち連結部６１を備えた菱形の形状部分６２と、連結部６１に基端が連結され先端にバックル部６２をもつ長さ調節部（図中省略）付き前後左右の結え紐状体６３a、６３b、６３c、６３dから構成された結え具６４を下側主要部として備え、結え補助具すなわち連結部６５を備えた菱形の形状部分６６から構成された結え補助具６７を上側主要部として備えたスーツケース等鞄６８の締め具６９を示す。
【００５３】
図２６は、第１３実施の形態を示すものであって、結え補助具すなわち連結部７０を備えた菱形の形状部分７１a、７１bと、連結部７０に基端が連結され先端にバックル７２をもつ前後左右の結え紐状体７３a、７３b、７３c、７３dから構成された結え具７４を主要部として備えたブックバンド７５を示す。なお、７６は手提げ部を示す。
【００５４】
なお、上記第１１〜１３実施の形態詳細な構成については、図から及び前記の実施の形態に係る結え具から容易に理解できるからここでは省略する。
【００５５】
以上、図に示す実施の形態について説明したが、本発明は、上記実施の形態に限定されるものでなく、特許請求の範囲に記載された発明の精神を逸脱しない範囲において、分別廃棄処分（ごみ出し）の規定に適合する材料、生分解性合成樹脂材料、燃焼廃棄時に有害ガスを出さない材料、環境ホルモンによる社会的問題を惹起しない材料等を以て実施したり、連結部を銜え止め構造や単に引掛ける構造にしたり、四辺形の形成部の径を被結え物のサイズに適合する状態に可変部により可変しうる構成にしたり、弁当箱、中身入り包装用箱、その他にマッチするサイズやデザインにしたりする等のように、種々の実施が可能であって、本発明はこれ等にも及ぶものである。
【００５６】
また、本発明は、上記したように、前後左右四方の紐状部を平均した力で締め付けるのに使用される構成のものであるから、前後左右四方の紐状部を締め付けるのに使用される締付用補助具や、当該締付用補助具を備えた締付具、当該締付用補助具を備えた締付部分をもつ製品としても提供できるものであり、これ等にも及ぶものである。
【図面の簡単な説明】
【００５７】
【図１】本発明の第１実施の形態を示す平面図である。
【図２】同じく使用例を示す斜視図である。
【図３】本発明の第２実施の形態に係る結え具を示す平面図である。
【図４】使用例の途中状態を示す斜視図である。
【図５】使用例を示す斜視図である。
【図６】本発明の第３実施の形態に係る結え具を示す斜視図である。
【図７】同じく使用例の途中状態を示す斜視図である。
【図８】同じく使用例の途中状態を示す斜視図である。
【図９】同じく使用例の途中状態を示す斜視図である。
【図１０】同じく使用例の途中状態を示す斜視図である。
【図１１】同じく使用例を示す斜視図である。
【図１２】本発明の第４実施の形態を示す斜視図である。
【図１３】同じく使用例を示す斜視図である。
【図１４】本発明の第５実施の形態を示す平面図である。
【図１５】同じく使用例を示す斜視図である。
【図１６】本発明の第６実施の形態を示す平面図である。
【図１７】同じく使用例を示す斜視図である。
【図１８】本発明の第７実施の形態を示す平面図である。
【図１９】同じく使用例を示す斜視図である。
【図２０】（a）は本発明の第８実施の形態を示す平面図であり、（b）は第９実施の形態を示す平面図である。
【図２１】本発明の第１０実施の形態を示す平面図である。
【図２２】同じく使用例を示す斜視図である。
【図２３】本発明の第１１実施の形態を使用途中例で示す斜視図である。
【図２４】同じく使用例を示す斜視図である。
【図２５】本発明の第１２実施の形態を使用途中例で示す斜視図である。
【図２６】本発明の第１３実施の形態を示す斜視図である。
【符号の説明】
【００５８】
１  第１実施の形態に係る結え補助具
２a〜２d、１０a〜１０d、３４a、３４b、５７a〜５７d、６３a〜６３d  結え紐状体
３a〜３d、２８a〜２８d、４１〜４１d、５４、６１、７０  連結部
４、１４、１８、３５、５２  被結え物
５、２９、５５  菱形の形状部分
６  凸状部
７、２５a〜２５d  孔
９  第２実施の形態に係る結え具
１１a、１１c  掛杆状部
１２a、１２c  二つ折り部
１３a〜１３d  保持体
１６  第３実施の形態に係る結え具
１７a、４９  下側結え具
１７b、５０  上側結え具
２０  提げ手
２１  本発明の第５実施の形態に係る結え具
２２、２４a〜２４d  荷造り紐
２３  本発明の第６実施の形態に係る結え具
２７  本発明の第７実施の形態に係る結え具
３０  短管
３１  補長紐
３３a〜３３d  掛外具
３９  提げ手無し結え具
４０  提げ手付き結え具
４３  結え紐
４４  引掛け部、
４５a、４５b  張出し部
４７  紐状体
４８  連結孔
５１  第１０実施の形態に係る結え具
５６、６２、７２  バックル
５９、６８  スーツケース等鞄
５８、７４  結え具
６０  締め具
６７  結え補助具
６９  締め具
７５  ブックバンド
【図１】
2008024323.tif 000003
【図２】
2008024323.tif 000004
【図３】
2008024323.tif 000005
【図４】
2008024323.tif 000006
【図５】
2008024323.tif 000007
【図６】
2008024323.tif 000008
【図７】
2008024323.tif 000009
【図８】
2008024323.tif 000010
【図９】
2008024323.tif 000011
【図１０】
2008024323.tif 000012
【図１１】
2008024323.tif 000013
【図１２】
2008024323.tif 000014
【図１３】
2008024323.tif 000015
【図１４】
2008024323.tif 000016
【図１５】
2008024323.tif 000017
【図１６】
2008024323.tif 000018
【図１７】
2008024323.tif 000019
【図１８】
2008024323.tif 000020
【図１９】
2008024323.tif 000021
【図２０】
2008024323.tif 000022
【図２１】
2008024323.tif 000023
【図２２】
2008024323.tif 000024
【図２３】
2008024323.tif 000025
【図２４】
2008024323.tif 000026
【図２５】
2008024323.tif 000027
【図２６】
2008024323.tif 000028